【手続補正書】
【提出日】平成17年10月21日(2005.10.21)
【手続補正１】
【補正対象書類名】明細書
【補正対象項目名】特許請求の範囲
【補正方法】変更
【補正の内容】
【特許請求の範囲】
【請求項１】  複数種類の図柄が予め定められた順序に配列された複数の図柄表示列を可変表示して、各図柄表示列における図柄を複数の図柄表示位置に停止させ、この停止図柄を特別遊技成立のための複数の図柄組合わせライン上に表示する図柄可変表示装置と、この図柄可変表示装置の制御を行なう副制御手段と、遊技機の総括的な制御を行なうと共に、前記各図柄表示列毎に対応する前記複数の図柄表示位置の何れかに停止表示させる確定図柄を各々指定する図柄指定コマンドを、前記副制御手段へ送信する主制御手段とを備え、前記副制御手段は、前記図柄指定コマンドに基づき、各図柄表示列毎に指定された確定図柄を前記図柄表示位置へ停止表示させるようにした遊技機において、
前記副制御手段は、前記図柄可変表示装置の制御を行なうに際し、
前記図柄指定コマンドで指定された各図柄表示列の確定図柄の組合わせを判別し、
前記各図柄表示列の図柄の配列順および指定された確定図柄から導き出される前記各図柄組合わせライン上での複種類の図柄組合わせと、前記判別された該確定図柄の組合わせ結果とに基づき、各確定図柄を前記複数の図柄表示位置のどの位置に停止させるかを決定し、
前記各図柄表示列の各確定図柄を、決定された図柄表示位置へ停止表示させるようにした
ことを特徴とする遊技機。
【請求項２】  前記副制御手段は、判別された前記各確定図柄の組合わせ結果が特別遊技成立予告および特別遊技成立となる図柄組合わせでなかった場合、前記全ての図柄組合わせラインにおいて特別遊技成立予告および特別遊技成立の図柄組合わせとならないように、各確定図柄を停止させる図柄表示位置の決定を行なう請求項１記載の遊技機。
【請求項３】  前記副制御手段は、判別された前記各確定図柄の組合わせ結果が特別遊技成立予告となる図柄組合わせだった場合、前記全ての図柄組合わせラインにおいて特別遊技成立の図柄組合わせとならないように、各確定図柄を停止させる図柄表示位置の決定を行なう請求項１または２記載の遊技機。
【請求項４】  前記副制御手段は、前記各図柄表示列の確定図柄を、前記複数の図柄表示位置のどの位置に停止させるかを予め設定した複数の図柄表示パターンを有し、
前記確定図柄の組合わせ判別結果に基づき、複数の図柄表示パターンの中から何れか１つの図柄表示パターンを決定するようになっている請求項１〜３の何れかに記載の遊技機。
【請求項５】  前記図柄表示パターンは、特別遊技成立の図柄組合わせを発現し得るもの、特別遊技成立予告の図柄組合わせを発現し得るもの、特別遊技成立および特別遊技成立予告の何れをも発現しないもの等が設定されている請求項４記載の遊技機。
【請求項６】  通常の図柄組合わせ遊技状態時には、各図柄表示列毎に単一の図柄表示位置が設定され、単一の図柄組合わせライン上に各確定図柄を停止表示する一方、
特定の遊技状態成立時には、所定期間に亘って各図柄表示列毎に複数の図柄表示位置が設定され、複数の図柄組合わせライン上に各確定図柄を含む複数の図柄を停止表示するようにした請求項１〜５の何れかに記載の遊技機。
【手続補正２】
【補正対象書類名】明細書
【補正対象項目名】００１４
【補正方法】変更
【補正の内容】
【００１４】
このとき図２０(ｃ)から明らかなように、下段の入賞ラインＬ３上には確定図柄「８」および確定図柄「６」が夫々停止表示されるものの、上段の入賞ラインＬ１上には図柄「７」と図柄「７」とが夫々停止表示されるようになり、特別遊技成立予告(リーチ)とされる図柄組合わせが成立してしまう。しかしながら図柄可変表示装置４５は、主制御装置６０からの変動パターン指定コマンドに基づいた通常変動の図柄変動パターンに基づいて図柄変動制御が実行されるため、大当りの成立を期待させるリーチ演出(例えば中図柄表示列５１を、スロー変動、コマ送り変動、高速変動とする等)が何等行なわれることなく中図柄表示列５１の停止制御が行なわれ、図柄「７」が基準ラインＳＬ(下段の入賞ラインＬ３上)に停止表示されるようになる(図２０(ｄ))。よって、上段の入賞ラインＬ１においてリーチの図柄組合わせが成立したにも拘わらず、リーチ演出が行なわれることなく当該図柄組合わせが終了してしまうため、大当りの成立を期待する遊技者に違和感を与える不都合が発生することとなる。
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】変更
【補正の内容】
【００２５】
そして、本発明では、前記副制御手段が有する前記図柄表示パターン(E1〜E11)として、特別遊技成立の図柄組合わせを発現し得るもの、特別遊技成立予告の図柄組合わせを発現し得るもの、特別遊技成立および特別遊技成立予告の何れをも発現しないもの等が設定されている。
【手続補正８】
【補正対象書類名】明細書
【補正対象項目名】００２６
【補正方法】変更
【補正の内容】
【００２６】
更に本発明では、通常の図柄組合わせ遊技状態時には、各図柄表示列(50,51,52)毎に単一の図柄表示位置(54)が設定され、単一の図柄組合わせライン(LX)上に各確定図柄を停止表示する一方、
特定の遊技状態成立時には、所定期間に亘って各図柄表示列(50,51,52)毎に複数の図柄表示位置(55,56,57)が設定され、複数の図柄組合わせライン(L1,L2,L3,L4,L5)上に各確定図柄を含む複数の図柄を停止表示するようになっている。
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】変更
【補正の内容】
【００２８】
【作用】
本発明に係る遊技機では、該遊技機の総括的な制御を行なう主制御手段は、図柄組合わせ結果において発生し得る不都合の確認処理および不都合を回避するための補正処理を行なわない。
そして、図柄可変表示装置の制御を行なう表示制御用の副制御手段は、主制御手段から送信される図柄指定コマンドで指定された各図柄表示列の確定図柄の組合わせを判別することで、各確定図柄を複数の図柄表示位置のどの位置に停止させるかを決定する。そして、各図柄表示列毎に確定図柄を停止表示させる位置を組合わせた複数の図柄表示パターンを設定してあるため、図柄変動パターンの判別および各図柄表示列の確定図柄の判別を行なうだけで、１つの図柄表示パターンを簡単に選択して決定することができる。
【手続補正１１】
【補正対象書類名】明細書
【補正対象項目名】００２９
【補正方法】変更
【補正の内容】
【００２９】
また、本発明の遊技機は、通常の図柄組合わせ遊技状態では図柄組合わせラインが単一となる１ラインモードとされる。そして、通常の図柄組合わせ遊技状態で特別遊技状態が発生した場合には、当該特別遊技状態の終了時点から特定の遊技期間に入って図柄組合わせラインが５本となる５ラインモードに変更される。更に、特定の遊技期間が終了すると、再び１ラインモードに復帰するよう制御される。
【手続補正１２】
【補正対象書類名】明細書
【補正対象項目名】００５５
【補正方法】変更
【補正の内容】
【００５５】
(５ラインモード処理)
次に、５ラインモード処理について説明する。ここで、５本の入賞ラインＬ１,Ｌ２,Ｌ３,Ｌ４,Ｌ５が設定された従来のパチンコ機Ｐ(遊技機)における図柄停止表示態様をもう一度確認しておくと、前述すると共に図２０に例示したように、下段の入賞ラインＬ３に基準ラインＳＬを固定的に設定して、常には各図柄表示列５０,５１,５２の確定図柄を該入賞ラインＬ３上に停止表示するように制御するもとで、この時に該入賞ラインＬ３以外の入賞ラインＬ１,Ｌ２,Ｌ４,Ｌ５の全てにおいて不都合が生ずるか否かの「確認処理」と、不都合が発生する場合は確定図柄の停止位置を変更する「補正処理」とを、基本的に前記主制御装置６０で行なうようになっていた。これに対して、本実施例のパチンコ機Ｐでは、前記主制御装置６０は、前記変動パターン指定コマンドＣ１、各図柄指定コマンドＣ２,Ｃ３,Ｃ４および全図柄停止コマンドＣ５等の制御コマンドを設定し、該制御コマンドを適時タイミングで送信するだけであって、前述の確認処理および補正処理に相当する全ての処理は表示制御装置６１で行ない、当該主制御装置６０はこれら処理は行なわないようになっている。そして、確認処理および補正処理に相当する処理は、この５ラインモード処理において実行される。
【手続補正１３】
【補正対象書類名】明細書
【補正対象項目名】００５９
【補正方法】変更
【補正の内容】
【００５９】
但し、各図柄表示列５０,５１,５２の図柄配列順を図１９に例示したように設定した実施例の図柄可変表示装置４５では、各図柄組合わせにおいて次のような条件が成立した場合に、従来のような不都合が発生することが予め判明しているため、これらを判断するための処理を表示制御装置６１における５ラインモード処理において行なうようになっている。
(1) リーチとならない通常変動の場合
「左列の確定図柄＝右列の確定図柄＋１」となる組合わせ、または「左列の確定図柄＝右列の確定図柄＋２」となる組合わせが成立する場合、前記図柄表示パターンＥ１,Ｅ２では入賞ラインＬ１上で外れリーチ(特別遊技成立状態)が発生するため、これらを除く６種類の図柄表示パターンＥ３,Ｅ４,Ｅ５,Ｅ６,Ｅ７,Ｅ８から選択するように補正制御する。
(2) ノーマル当りリーチ変動の場合
「戻り滑りリーチ」を有する図柄変動パターン(右列(右図柄表示列５２)の確定図柄を下段の図柄表示位置５７に一旦停止させた後、該右図柄表示列５２を移動方向とは反対方向へ再移動させて該確定図柄を上段の図柄表示位置５５に表示させるようにする図柄変動パターン)の場合では、前記図柄表示パターンＥ９では、一旦停止時にはダブルリーチになるにも拘わらず再移動後には１ライン上でのリーチ(シングルリーチ)となり、大当り成立への期待感を落胆させてしまうという不都合が発生するため、これを除く４種類の図柄表示パターンＥ１,Ｅ８,Ｅ１０,Ｅ１１から選択するように補正制御する。
(3) ノーマル外れリーチ変動の場合
ダブルリーチの配置としない場合は、前記図柄表示パターンＥ１０,Ｅ１１ではダブルリーチが発生するため、これを除く３種類の図柄表示パターンＥ１,Ｅ８,Ｅ９から選択するように補正制御する。但し、戻り滑りを行なってリーチにする場合には、前述と同様の不都合が発生するため、図柄表示パターンＥ１,Ｅ８の何れかを選択するよう補正制御する。
また、ダブルリーチの配置にする場合は、図柄表示パターンＥ１０,Ｅ１１の何れかを選択する必要がある。但し、例えば右列(右図柄表示列５２)の確定図柄「５」、中列(中図柄表示列５１)の確定図柄「４」、左列(左図柄表示列５０)の確定図柄「５」を図柄表示パターンＥ１１に従って停止表示させる場合のように、見た目上に大当りが成立してしまう場合には、選択している図柄表示パターンを他方の図柄表示パターンへ変更するよう補正制御する。
【手続補正１４】
【補正対象書類名】明細書
【補正対象項目名】００９２
【補正方法】変更
【補正の内容】
【００９２】
(特別の遊技期間の終了)
５ラインモードに設定された特定の遊技期間では、図６に例示した５ラインモード処理が実行される毎にステップＬＳ９で５ラインモード継続回数が１加算されるため、この５ラインモード処理を所定期間として予め設定したＭ回実行した場合(図柄組合わせ処理制御をＭ回実行した場合)には、該５ラインモード継続回数がＭとなる。従って、この次に主制御装置６０から変動パターン指定コマンドＣ１および図柄指定コマンドＣ２,Ｃ３,Ｃ４を受信し、図４のステップＳＳ４で受信コマンド処理が行なわれると、その直後のステップＳＳ５におけるモード振分け処理では、ステップＤＳ３(図５)において５ラインモード継続回数＝Ｍと判断するため、ステップＤＳ４へ進むことで５ラインモードが終了して特定の遊技期間が終了する。これにより、ステップＤＳ６において１ラインモード処理が実行される。
【手続補正１５】
【補正対象書類名】明細書
【補正対象項目名】０１０４
【補正方法】削除
【補正の内容】
【手続補正１６】
【補正対象書類名】明細書
【補正対象項目名】０１０５
【補正方法】変更
【補正の内容】
【０１０５】
【発明の効果】
以上説明した如く、本発明に係る遊技機によれば、該遊技機の総括的な制御を行なう主制御手段は、図柄組合わせ結果において発生し得る不都合の確認処理および不都合を回避するための補正処理を行なわないので、実行される処理プログラムの複雑化および容量増加を招来せず、また演算処理作業の増加に伴う負担増加が回避できる利点がある。
また図柄可変表示装置の制御を行なう表示制御用の副制御手段は、主制御手段から送信される図柄指定コマンドで指定された各図柄表示列の確定図柄の組合わせを判別することで、各確定図柄を複数の図柄表示位置のどの位置に停止させるかを決定し得る。しかも、各図柄表示列毎に確定図柄を停止表示させる図柄表示位置を組合わせて構成される複数の図柄表示パターンを予め設定してあるため、各図柄表示列の確定図柄の判別を行なうだけで１つの図柄表示パターンを簡単に選択して決定することができるようになり、処理プログラムの複雑化および容量増加を最小限に抑えることができて演算処理作業に伴う負担増加を招来しない等の有益な効果を奏する。
【手続補正１７】
【補正対象書類名】明細書
【補正対象項目名】０１０６
【補正方法】変更
【補正の内容】
【０１０６】
また、本発明の遊技機によれば、通常の図柄組合わせ遊技状態では１ラインモードとされ、この通常の図柄組合わせ遊技状態で特別遊技状態が発生した場合に当該特別遊技状態の終了時点から特定の遊技期間に入って５ラインモードに変更され、更に特定の遊技期間が終了すると再び１ラインモードに復帰するよう制御されるため、変化に富んだ多彩な図柄の変動表示および停止表示が可能となる。すなわち、特別遊技状態の終了時点から特定の遊技期間に入って大当りの発生確率を高めるようになるから、大当り発生の期待感を高める演出効果が得られる等の利点がある。